(57)【要約】【課題】サムターンへの室外からの不正な操作を防止することのできるサムターン装置、およびこれに使用可能なサムターン保護装置の提供を目的とする。【解決手段】操作摘み１を回転させて扉体２内に配置される箱錠３への施解錠操作を行うサムターン装置本体４と、円筒状に形成され、前記操作摘み１の側方周囲を包囲する摘み操作規制部５とを有して構成する。【選択図】　図１
2004132133.tif 000002
【特許請求の範囲】
【請求項１】
操作摘みを回転させて扉体内に配置される箱錠への施解錠操作を行うサムターン装置本体と、
円筒状に形成され、前記操作摘みの側方周囲を包囲する摘み操作規制部とを有するサムターン装置。
【請求項２】
操作摘みを回転させて扉体内に配置される箱錠への施解錠操作を行うサムターン装置本体と、
操作摘みに対して相対回転自在に該操作摘みの側方周囲を包囲する摘み操作規制部とを有するサムターン装置。
【請求項３】
操作摘みを回転させて扉体内に配置される箱錠への施解錠操作を行うサムターン装置本体に装着され、
装着状態において、摘み操作規制部により操作摘みの側方周囲を周囲を包囲して操作摘みの側方からの操作を規制するサムターン保護装置。
【請求項４】
前記扉体への固定状態においてサムターン装置本体に後付け可能で、前記操作摘みの後端縁に係止して前方への脱離が規制されるセットプレートと、
前記摘み操作規制部を備え、前記セットプレートに固定される本体部とを有する請求項３記載のサムターン保護装置。
【請求項５】
前記摘み操作規制部は、本体部のセットプレートへの固定部に対して空転自在な請求項４記載のサムターン保護装置。
【発明の詳細な説明】
【０００１】
【発明の属する技術分野】
本発明はサムターン装置Ａに関するものである。
【０００２】
【従来の技術】
扉体内に収容、固定される箱錠のデッドボルトを室内から進退操作し、扉体の施解錠を行うサムターン装置としては、特許文献１に記載されたものが知られている。
【０００３】
この従来例において、サムターン装置は、扉体の室内側表面に固定されるサムターン台座に対して回転操作可能なサムターン（操作摘み）を備える。サムターンには端部が箱錠のデッドボルト操作孔に挿入されるサムターン軸が固定されており、サムターンを回転させることにより扉体の施解錠を行うことができる。
【０００４】
【特許文献１】
実用新案登録第２５５３００８号公報
【０００５】
【発明が解決しようとする課題】
しかし、上述した従来例には、以下の欠点がある。すなわち、扉体には通常来客者等を確認するためのスコープ、郵便受けが配置され、さらには、扉体と框との間には隙間があるために、これらを利用して針金等の工具、あるいは紐を室内側に侵入させ、サムターンに直接回転操作を行うことを完全に防止することはできない。
【０００６】
本発明は、以上の欠点を解消すべくなされたものであって、サムターンへの室外からの不正な操作を防止することのできるサムターン装置、およびこれに使用可能なサムターン保護装置の提供を目的とする。
【０００７】
【課題を解決するための手段】
本発明によれば上記目的は、
操作摘み１を回転させて扉体２内に配置される箱錠３への施解錠操作を行うサムターン装置本体４と、
円筒状に形成され、前記操作摘み１の側方周囲を包囲する摘み操作規制部５とを有するサムターン装置Ａを提供することにより達成される。
【０００８】
本発明において、摘み操作規制部５は箱錠３のデッドボルト８を操作するための操作摘み１の側方周囲を包囲して該操作摘み１の側方空間を遮蔽する。この結果、上記側方空間を利用した操作摘み１への不正操作、例えば、側方空間内を針金、あるいは紐等を移動させて操作摘み１に直接回転操作力を与えることが不可能になる。
【０００９】
これに対し、摘み操作規制部５は、円筒状に形成されて前面（本明細書において方向を示すときは、操作摘み１に正対する方向を「前」とする。）が開放されるために、室内からの操作摘み１への操作は自由に行うことができる。
【００１０】
摘み操作規制部５は、サムターン装置本体４の操作摘み１と連動して回転するものであっても、操作摘み１に対して相対回転するものであってもよく、操作摘み１と連動して回転する場合であっても、摘み操作規制部５は、円柱外周面、あるいは円錐外周面のように、円形外周面を有して筒状に形成されるために、外周への押圧力の付与により回転トルクを発生させるのが困難で、かつ、紐等を巻き付けるのにも手間がかかるために、サムターン装置本体４への不正回転操作を効果的に防止できる。
【００１１】
また、摘み操作規制部５を操作摘み１に対して相対回転（空転）自在とした場合には、摘み操作規制部５への操作を介した操作摘み１の操作が完全に禁止されるために、より信頼性が向上する。
【００１２】
摘み操作規制部５の高さは、操作摘み１への針金、あるいは紐等による回転操作時の操作線から操作摘み１を実質的に隠蔽できれば足りるが、安全性を高めるためには、操作摘み１の全高より長寸の高さ寸法に形成するのが望ましい。
【００１３】
以上のサムターン装置Ａは、例えば既設のサムターン装置本体４にサムターン保護装置Ｂを装着することにより構成することができ、この場合、サムターン保護装置Ｂは、
操作摘み１を回転させて扉体２内に配置される箱錠３への施解錠操作を行うサムターン装置本体４に装着され、
装着状態において、摘み操作規制部５により操作摘み１の側方周囲を周囲を包囲して操作摘み１の側方からの操作を規制して構成することができる。
【００１４】
【発明の実施の形態】
図１〜３に示すように、サムターン装置Ａは、扉体２の室内側壁面に配置されるサムターン装置本体４と、サムターン保護装置Ｂとからなる。サムターン装置本体４は、サムターンカバー４ａから前方に突出する板状の操作摘み１を有し、操作摘み１を回転させると、扉体２内に配置された箱錠３のデッドボルト８が進退操作され、扉体２の施解錠がなされる。
【００１５】
一方、サムターン保護装置Ｂは、セットプレート６と、本体部７とからなる。セットプレート６は、上記サムターン装置本体４の操作摘み１の後端縁からサムターンカバー４ａ表面までの隙間よりやや小寸の厚さ寸法を有し、操作摘み１の長さよりやや長寸の直径寸法を有する円形の板材であり、中心部に上記操作摘み１の回転軸１ａに外嵌する円形の嵌合孔６ａが開設される。また、嵌合孔６ａからは上記操作摘み１が挿通可能な矩形開口６ｂが連通される。さらに、セットプレート６には適数個の雌ねじ６ｃが形成される。
【００１６】
本体部７は、室内側からの操作スペースを広くするために、前方に行くに従って漸次拡径される円錐外周面を備える摘み操作規制部５と、操作規制部５を挿通可能で外周部にＣ型クリップ９を嵌合させた円板状のホルダ１０とを有する。Ｃ型クリップ９の内周とホルダ１０のクリップ装着溝１０ａとの間には、Ｃ型クリップ９の縮経方向の弾性変形を許容するための隙間が設定される。
【００１７】
上記摘み操作規制部５の後端部内周には全周に渡って係止溝５ａが凹設されており、上記ホルダ１０は、Ｃ型クリップ９を一旦弾性的に縮経させた後、弾性復元力を利用して係止溝５ａに遊嵌させることによってカバー体９に対して空転自在に連結される。また、上記ホルダ１０の中央部には、サムターン装置本体４の操作摘み１が挿通可能な矩形開口１０ｂが表裏に貫通して開設される。さらに、ホルダ１０には、上記セットプレート６の雌ねじ６ｃに合致するねじ挿通孔１０ｃが開設される。
【００１８】
したがってこの実施の形態において、図１に示すように、まず、扉体２に既設のサムターン装置本体４の前面から、矩形開口６ｂに操作摘み１を通過させるようにしてセットプレート６を挿通させる。この状態でセットプレート６の嵌合孔６ａは操作摘み１の回転軸１ａに遊嵌した状態でサムターンカバー４ａの表面上での移動が規制される。
【００１９】
次いで、図１において矢印１Ａで示すように、セットプレート６をほぼ９０°回転させて、矩形開口６ｂを図１において鎖線で示すように位置させると、該セットプレート６は操作摘み１の後端縁に係止された状態で前方への脱離が規制される。
【００２０】
この後、ホルダ１０の矩形開口１０ｂに操作摘み１を挿通させた後、ねじ１１をねじ挿通孔１０ｃを貫通させてセットプレート６の雌ねじ６ｃ部にねじ込んで本体部７とセットプレート６とを連結、固定する。ねじ１１はサムターンカバー４ａの表面に衝接しない程度の長さのものが使用される。
【００２１】
以上のようにしてサムターン装置本体４にサムターン保護装置Ｂを装着した状態において、サムターン装置本体４の操作摘み１はほぼ全高に渡って側方から包囲される状態となり、針金等により操作摘み１を直接押してデッドボルト８に解錠操作を与えることもできない。
【００２２】
また、紐等で摘み操作規制部５を巻回して摘み操作規制部５に回転力を伝達できたとしても、この摘み操作規制部５は操作摘み１に対して空転自在なために、操作摘み１に操作力を伝達することができない。
【００２３】
したがってこの実施の形態において、扉体２の隙間等を利用してサムターン装置本体４の操作摘み１を直接操作することが不可能となるために、防犯性能を向上させることができる。
【００２４】
また、サムターン保護装置Ｂは、セットプレート６をサムターン装置本体４に挿通させた後、回転させて操作摘み１の後端縁に係止させ、この姿勢で前方から本体部７をセットプレート６にねじ止めするだけで装着可能であり、扉体２にすでに固定された状態であっても、サムターン装置本体４を扉体２から取り外す必要もなく、簡単に装着できる。
【００２５】
なお、図１〜３においてセットプレート６は、中央部に矩形開口６ｂを開設した１枚のプレート体として形成されているが、図４に示すように、セットプレート６を２枚の分割片６Ａ、６Ａにより形成しても、後付けを保証することができる。
【００２６】
この場合、セットプレート６の分割片は図４において矢印４Ａで示すように、サムターン装置本体４の両側から挟み込むようにして配置される。この後、上述した実施の形態と同様に、ねじ１１を使用して本体部７とセットプレート６とが連結され、この状態でリング形状をなし、操作摘み１の後端縁に係止する。
【図面の簡単な説明】
【図１】本発明を示す分解斜視図である。
【図２】図２の２Ａ−２Ａ線断面図である。
【図３】図２の３Ａ−３Ａ線断面図である。
【図４】本発明の変形例を示す分解斜視図である。
【符号の説明】
１　　　　操作摘み
２　　　　扉体
３　　　　箱錠
４　　　　サムターン装置本体
５　　　　摘み操作規制部
６　　　　セットプレート
７　　　　本体部
Ａ　　　　サムターン装置
Ｂ　　　　サムターン保護装置
【図１】
2004132133.tif 000003
【図２】
2004132133.tif 000004
【図３】
2004132133.tif 000005
【図４】
2004132133.tif 000006